(57)【要約】【課題】均一な照度を得ることができる蛍光灯を提供する。【解決手段】基体３を有する。照明管４は基体３に取り付けられた二つの端部４１と、端部４１から基体３から離れる方向にそれぞれ伸びて頂点４３において互いに合体する二つの螺旋状照明管部４２とを有する。蛍光灯の縦軸Ｘと直交する平面で見たときに螺旋状照明管部が頂点４３を除いて互いに間隔が空くように螺旋状照明管部４２は形作られている。照明管４の上部により照明される光ビームは照明管４の下部により遮られないため、蛍光灯により与えられる照度はより均一である。【選択図】    図３
2004172082.tif 000002
【特許請求の範囲】
【請求項１】
基体（３）と、
基体に取り付けられた二つの端部（４１）を有する照明管（４）であって、照明管（４）の端部（４１）に基体（３）に離れる方向にそれぞれ伸びて頂点（４３）において互いに合体する二つの螺旋状照明管部（４２）をさらに有する照明管（４）とを備える蛍光灯であって、
蛍光灯の縦軸（Ｘ）と直交する平面で見たときに螺旋状照明管部が頂点（４３）を除いて互いに間隔が空くように螺旋状照明管部（４２）が形成されていることを特徴とする蛍光灯。
【請求項２】
蛍光灯の縦軸（Ｘ）は、頂点（４３）を通ることを特徴とする請求項１記載の蛍光灯。
【請求項３】
各螺旋状照明管部（４２）の半径は、基体（３）から離れるにつれて減少することを特徴とする請求項１記載の蛍光灯。
【請求項４】
照明管は、キノコに類似する形状であることを特徴とする請求項３記載の蛍光灯。
【請求項５】
各螺旋状照明管部の半径は、基体から離れるにつれて減少し、その後増加することを特徴とする請求項１記載の蛍光灯。
【請求項６】
照明管は、楕円体に類似する形状であることを特徴とする請求項５記載の蛍光灯。
【請求項７】
螺旋状照明管部（４２）は、螺旋状照明管部の直径に等しい間隙（４４）を有することを特徴とする請求項１記載の蛍光灯。
【発明の詳細な説明】
【０００１】
【発明の属する技術分野】
本発明は、改良された照明効果を提供する二つの螺旋管を有する照明管を含む蛍光灯に関する。
【０００２】
【従来の技術】
蛍光灯は、それらの高効率性と適当な出力ビームのために室内照明に広く使用される。蛍光灯は従来通り直線状または環状になった照明管を含むと都合がよい。最近、折れ曲がった照明管が提案され、種々の極小設計を提供し、かつ取付けを容易にするＵ字状、渦巻状または螺旋状等に作られている。
【０００３】
Ｕ字状照明管を有するタイプの蛍光灯をいくつかアレー状に配置して十分な照度を提供するのが普通である。しかしながら、それらは照度が均一でない。即ち、ある範囲は十分明るく、別の範囲は許容できないほど暗い。この問題を解決するために、Ｕ字状照明管を有するタイプの蛍光灯のいくつかは環状あるいは同心に配置され、節電しつつ均一な照度を提供する。しかしながら、それらは構造が複雑である。
【０００４】
【発明が解決しようとする課題】
図面の図１は、Ｕ字状照明管を有するタイプの蛍光灯の問題を解決するために提案されている従来の蛍光灯を示す。図１の蛍光灯は、基体２と、基体２に取り付けられた二つの端部１２及び照明管１の端部１２からそれぞれ伸びて頂点１６において互いに合体する二つの螺旋状照明管部１４を有する照明管１とを含む。螺旋状照明管部１４の大部分は実質的に同じ直径をもっており、そのため、図２に示すように、照明管１の上部により照明される光ビームは照明管１の下部により遮られる。本発明は、この問題を解決する改良された設計を提供することを意図したものである。
【０００５】
本発明の目的は、二つの螺旋状管部を有する照明管を含む蛍光灯であって、照明管１の上部により照明される光ビームが照明管の下部により遮られず、それにより改良された照明効果を提供する蛍光灯を提供することである。
【０００６】
【課題を解決するための手段】
本発明による蛍光灯は、基体と、基体に取り付けられた二つの端部を有する照明管とを備える。照明管は、さらに、照明管の端部から基体から離れる方向にそれぞれ伸びて頂点において互いに合体する二つの螺旋状照明管部を有する。蛍光灯の縦軸に直交する平面で見たときに螺旋状照明管部が頂点を除いて互いに間隔が空くように螺旋状照明管部は形作られる。従って、この蛍光灯により与えられる照度はより均一である。
【０００７】
【発明の実施の形態】
本発明の他の目的、利点および新規な特徴は、添付図面と関連付ければ、以下の詳細な説明からより明らかになるであろう。
図３に言及すれば、本発明の一実施例による蛍光灯は、一般的に、基体３と照明管４とを備える。照明管４は基体３に取り付けられた二つの端部４１と、照明管４の端部４１から基体３から離れる方向にそれぞれ伸びて頂点４３において互いに合体する二つの螺旋状照明管部４２とを有する。
【０００８】
好ましくは、螺旋状照明管部４２は頂点４３を通る蛍光灯の縦軸Ｘの回りに螺旋状に巻かれている。さらに、各螺旋状照明管部４２の半径は基体から離れるにつれて減少する。即ち、各螺旋状照明管部４２の半径は、基体３からより遠い各照明管部４２の別の部分の半径より大きい。従って、照明管４の全体はキノコに似ている。さらに、図４に最もよく示される縦軸Ｘに直交する平面で見たときに螺旋状管部４２が共通頂点４３を除いて互いに間隔が空くように（間隙４４参照）螺旋状照明管部４２は形作られる。好ましくは、螺旋状照明管部４２間の間隙４４は螺旋状照明管部４２の直径に等しいか、あるいはそれに近似する。この配置により、図５に示すように、使用時に照明管４の上部により照明される光ビームは照明管４の下部により遮られない。照度はより均一である。さらに、基体３は照明管４が取り付けられる側部３２に塗布された反射材料３１の層を含む。こうして、反射材料３１の層に入射する光ビームは反射され、照明効果をさらに改善する。
【０００９】
図６は、本発明の蛍光灯が変形された実施例を示す。図３の蛍光灯と同じ部分は図３と同じ参照番号が与えられ、それらの説明は省略される。図３の蛍光灯と特性的に異なる点は、図６の蛍光灯の照明管４の端部が基体３の外側に露出していないことである。
【００１０】
図７は、本発明の蛍光灯のもう一つの変形された実施例を示す。図３の蛍光灯と同じ部分は図３と同じ参照番号が与えられ、それらの説明は省略される。図３の蛍光灯と特性的に異なる点は、図７の蛍光灯の照明管４の二つの螺旋状照明管部４２のそれぞれが共通頂点４３を除いて互いに間隔を空けながら基体３から離れるにつれて増加し（４２ａの部分参照）、その後減少する（４２ｂの部分参照）半径を有していることである。即ち、各螺旋状照明管部４２の４２ａの部分の一つの部分の半径が基体３からより遠い各螺旋状照明管部４２の４２ａの部分の別の部分の半径より大きく、各螺旋状照明管部４２の４２ｂの部分の一つの部分の半径が基体３からより遠い各螺旋状照明管部４２の４２ｂの部分の別の部分の半径より大きい。従って、照明管４の全体は楕円体に似ている。あるいは、照明管４の全体は横から見たときに台形または菱形に似ており、これもやはり発明の範囲内である。
【００１１】
上記の説明に従って、本発明の実施例による蛍光灯は照明効果を改善し、均一な照度を提供する。一方の螺旋状照明管部４２から発せられる光ビームが他方の螺旋状照明管部４２により遮られる可能性はより少なくなる。反射材料３１の層に入射する光ビームは反射され、改良された照明効果を提供できる。
本発明は好ましい実施例に関連して説明したが、特許請求の範囲で請求された発明の範囲から逸脱することなく他の多くの可能な変形と変更を成し得ることは言うまでもない。
【図面の簡単な説明】
【図１】従来の蛍光灯の側面図である。
【図２】従来の蛍光灯の照明効果を示す模式図である。
【図３】本発明の一実施例による蛍光灯を示す側面図である。
【図４】本発明の一実施例による蛍光灯を示す上面図である。
【図５】本発明の一実施例による蛍光灯の照明効果を示す模式図である。
【図６】本発明の他の実施例による蛍光灯を示す側面図である。
【図７】本発明の他の実施例による蛍光灯を示す側面図である。
【符号の説明】
３    基体
４    照明管
４１    端部
４２    螺旋状照明管部
４３    頂点
４４    間隙
Ｘ    縦軸
【図１】
2004172082.tif 000003
【図２】
2004172082.tif 000004
【図３】
2004172082.tif 000005
【図４】
2004172082.tif 000006
【図５】
2004172082.tif 000007
【図６】
2004172082.tif 000008
【図７】
2004172082.tif 000009